(57)【要約】【課題】  屋根瓦を屋根に固定したままでも容易に取り付けることのできる雪止め具、及びその取り付け構造の提供。【解決手段】  雪止め具１は、アーチ状に構成された雪止め部２と、その雪止め部２の両端に形成され、屋根瓦の谷部表面に接触する接触面３ａを備えた一対の支持部３とを備えている。また、各支持部３には、各接触面３ａに垂直にネジ穴３ｂが穿設されている。このように構成された雪止め具１は、上記一対の接触面３ａを軒に平行に並べて屋根瓦の谷部表面に接触させた上で、上記各ネジ穴３ｂからそれぞれアンカーボルトを屋根瓦に螺合させて取り付けられる。【選択図】  図１
0003126308.tif 000002
【実用新案登録請求の範囲】
【請求項１】
屋根瓦の谷部表面に面接触する接触面を備えた一対の支持部と、
両端に上記支持部が形成され、積雪の落下に抵抗可能な雪止め部と、
上記各支持部の接触面をそれぞれ貫通して穿設された一対のネジ穴と、
を備えたことを特徴とする雪止め具。
【請求項２】
合成樹脂にて構成されたことを特徴とする請求項１記載の雪止め具。
【請求項３】
上記合成樹脂がポリカーボネートであることを特徴とする請求項２記載の雪止め具。
【請求項４】
請求項１〜３のいずれかに記載の雪止め具を、上記各接触面を軒に平行に並べて屋根瓦の谷部表面に接触させた上で、上記各ネジ穴からそれぞれアンカーボルトを上記屋根瓦に螺合させてなることを特徴とする雪止め具の取り付け構造。
【請求項５】
上記アンカーボルトの螺合が、上記屋根瓦にそのアンカーボルトのねじ込み部よりも小径の穴を穿設した上でなされたことを特徴とする請求項４記載の雪止め具の取り付け構造。
【請求項６】
上記穴が、上記屋根瓦の頭部近傍の、その屋根瓦の下に配設される他の屋根瓦の尻部近傍と重なり合う位置に穿設されたことを特徴とする請求項５記載の雪止め具の取り付け構造。
【請求項７】
上記アンカーボルトのねじ込み部には、低いねじ山と高いねじ山とが交互に配設されたことを特徴とする請求項４〜６のいずれかに記載の雪止め具の取り付け構造。
【考案の詳細な説明】
【技術分野】
【０００１】
本考案は、屋根瓦に取り付けて使用される雪止め具、及びその取り付け構造に関し、詳しくは、屋根瓦を屋根に固定したままでも容易に取り付けることのできる雪止め具、及びその取り付け構造に関する。
【背景技術】
【０００２】
積雪量の多い地方では、屋根に積もった雪が不用意に落下しないように、アーチ状の雪止め部を屋根瓦に一体に形成したいわゆる雪止め瓦が使用されている。このような雪止め瓦を使用した場合、雪止め部と屋根瓦の谷部との隙間から雪解け水を逃し、屋根に積もった雪の落下を雪止め部によって良好に抑制することができる。
【０００３】
また、雪止め部を有しない一般の屋根瓦を使って家を建てた後で、雪止め瓦の必要性に気付く人も多く、次のような後付け用の雪止め具も提案されている。例えば、金属製の板の一端に、板面から下方に屈曲して屋根瓦の尻部に係合する係合部を形成し、その板の他端に、板面から上方に屈曲して雪の落下に抵抗する雪止め部を形成した雪止め具が提案されている（例えば、特許文献１参照）。
【特許文献１】特開２０００−２６５６２７号公報
【考案の開示】
【考案が解決しようとする課題】
【０００４】
ところが、この種の雪止め具は、係合部を屋根瓦の尻部に係合させるためにその上の屋根瓦を剥がす必要があり、取り付けが困難で、場合よっては、剥がした屋根瓦を誤って屋根から落下させたり、一旦剥がした屋根瓦を正規の位置に戻し損なって雨漏りを生じたりする可能性もあった。そこで、本考案は、屋根瓦を屋根に固定したままでも容易に取り付けることのできる雪止め具、及びその取り付け構造の提供を目的としてなされた。
【課題を解決するための手段】
【０００５】
上記目的を達するためになされた本考案の雪止め具は、屋根瓦の谷部表面に面接触する接触面を備えた一対の支持部と、両端に上記支持部が形成され、積雪の落下に抵抗可能な雪止め部と、上記各支持部の接触面をそれぞれ貫通して穿設された一対のネジ穴と、を備えたことを特徴としている。
【０００６】
このように構成された本考案の雪止め具は、屋根瓦の谷部表面に面接触する接触面を備えた一対の支持部を有している。また、各支持部には、接触面を貫通してネジ穴が穿設されている。そこで、本考案の雪止め具は、各接触面を軒に平行に並べて屋根瓦の谷部表面に接触させた上で、上記各ネジ穴からそれぞれアンカーボルトを上記屋根瓦に螺合させて取り付けられる。すると、雪止め部は軒に沿って固定され、積雪の落下に抵抗することができる。また、このように、本考案の雪止め具は、各支持部に穿設されたネジ穴からアンカーボルトを螺合させるだけで、屋根瓦を剥がすことなく容易に取り付けることができる。しかも、本考案では、各支持部の接触面はいずれも屋根瓦の谷部に接触するので、取り付け作業中に雪止め具に左右方向の力が作用するのを抑制して、一層容易に取り付けることができる。更に、本考案の雪止め具は、上記のようにアンカーボルト等で固定することができるので、容易な取り付け作業によって極めて強固に屋根瓦に固定することができる。
【０００７】
なお、本考案は、雪止め具の素材を特に限定するものではないが、本考案の雪止め具が合成樹脂にて構成された場合、次のような更なる作用・効果が生じる。すなわち、この場合、見た目にも瓦と一体に形成された雪止め瓦と同様にすることができ、耐熱性，耐候性，耐食性にも優れたものとなる。また、合成樹脂は、陶器や金属と異なって適度な弾性を有するため、アンカーボルトの締め付けによって雪止め具を一層強固に固定することができ、その固定時に屋根瓦や当該雪止め具が割れるのも良好に抑制することができる。そして、上記合成樹脂がポリカーボネートである場合、そのような効果が一層顕著に表れる。
【０００８】
また、本考案の雪止め具の取り付け構造は、上記いずれかに記載の雪止め具を、上記各接触面を軒に平行に並べて屋根瓦の谷部表面に接触させた上で、上記各ネジ穴からそれぞれアンカーボルトを上記屋根瓦に螺合させてなることを特徴としている。
【０００９】
このように、本考案の雪止め具の取り付け構造では、雪止め具の各接触面を軒に平行に並べて屋根瓦の谷部表面に接触させた上で、各ネジ穴からそれぞれアンカーボルトを屋根瓦に螺合させることによって、前述の雪止め具が取り付けられている。このため、雪止め部は軒に沿って固定され、積雪の落下に良好に抵抗することができる。しかも、本考案の雪止め具の取り付け構造は、雪止め具の各支持部に穿設されたネジ穴からアンカーボルトを螺合させるだけで容易に構成することができ、しかも、各支持部はいずれも屋根瓦の谷部に接触するので、取り付け作業中に雪止め具に左右方向の力が作用するのを抑制して、一層容易に構成することができる。更に、本考案の雪止め具の取り付け構造は、上記のように雪止め具をアンカーボルトで固定しているので、容易な作業によって雪止め具を極めて強固に屋根瓦に固定することができる。
【００１０】
なお、本考案の雪止め具の取り付け構造は、以下の構成に限定されるものではないが、上記アンカーボルトの螺合が、上記屋根瓦にそのアンカーボルトのねじ込み部よりも小径の穴を穿設した上でなされたものであってもよい。この場合、アンカーボルトを屋根瓦に一層容易に螺合させることができ、しかも、雪止め具を一層強固に屋根瓦に固定することができる。また、この場合、屋根瓦に穿設された上記穴にシリコーン等を注入することで、アンカーボルトとの気密性が高まり、冬場の湿気による瓦割れを抑制することができる。
【００１１】
また、この場合、上記穴が、上記屋根瓦の頭部近傍の、その屋根瓦の下に配設される他の屋根瓦の尻部近傍と重なり合う位置に穿設されてもよい。この場合、万が一上記穴から雨水が下方へ流れたとしても、その屋根瓦の下に配設される他の屋根瓦の尻部によって雨水を良好に受け止めることができ、雨漏りの発生を一層良好に抑制することができる。
【００１２】
また、上記各雪止め具の取り付け構造において、上記アンカーボルトのねじ込み部には、低いねじ山と高いねじ山とが交互に配設されてもよい。この場合、アンカーボルトと屋根瓦との螺合が一層強固になり、雪止め具を一層強固に固定することができる。
【考案を実施するための最良の形態】
【００１３】
次に、本考案の実施の形態について、図面と共に説明する。図１は、本考案が適用された雪止め具１の構成を表す正面図である。なお、本考案の雪止め具１は、各部が一定の幅（図面の表裏面方向の長さ：３５ｍｍ）を有している（図２参照）。
【００１４】
図１に示すように、雪止め具１は、アーチ状（円弧状）に構成された雪止め部２と、その雪止め部２の両端に形成され、屋根瓦９０の谷部９１（図２参照）表面に接触する接触面３ａを備えた一対の支持部３とを備えている。なお、各接触面３ａは、谷部９１に良好に面接触するように、曲面状に仕上げられている。また、各支持部３には、各接触面３ａに垂直にΦ３〜４．３ｍｍのネジ穴３ｂが穿設されている。更に、この雪止め具１はポリカーボネートにより一体成形され、一方の支持部３の端から他方の支持部３の端までの長さは１６５ｍｍである。
【００１５】
このように構成された雪止め具１は、図２に例示するように、上記一対の接触面３ａを軒に平行に並べて屋根瓦９０の谷部９１表面に接触させた上で、上記各ネジ穴３ｂからそれぞれアンカーボルト（図示省略）を屋根瓦９０に螺合させて取り付けられる。すると、雪止め部２は軒に沿って固定され、積雪の落下に抵抗することができる。また、このように、雪止め具１は、各支持部３に穿設されたネジ穴３ｂからアンカーボルトを螺合させるだけで、屋根瓦９０を剥がすことなく容易に取り付けることができる。しかも、各支持部３の接触面３ａはいずれも屋根瓦９０の谷部９１に接触するので、一方の接触面３ａが棧部９４に接触する場合に比べて、取り付け作業中に雪止め具１に左右方向の力が作用するのを抑制して、一層容易に取り付けることができる。
【００１６】
更に、雪止め具１は、適度な弾性を有するポリカーボネートによって成形されており、アンカーボルトを良好に締め付けて固定することができるので、容易な取り付け作業によって極めて強固に屋根瓦９０に固定することができる。また更に、雪止め具１は、ポリカーボネートによって成形されており着色も自由なため、見た目にも一般の雪止め瓦と同様にすることができ、耐熱性，耐候性，耐食性にも優れたものとなる。
【００１７】
なお、上記アンカーボルトの螺合作業は、屋根瓦９０の頭部９２近傍の、その屋根瓦９０の下に配設される他の屋根瓦９０の尻部９３近傍と重なり合う位置に、アンカーボルトのねじ込み部よりも小径の穴を穿設した上で行うのが望ましい。この場合、アンカーボルトを屋根瓦９０に一層容易に螺合させることができ、しかも、雪止め具１を一層強固に屋根瓦９０に固定することができる。また、上記穴は他の屋根瓦９０の尻部９３近傍と重なり合う位置に穿設されるので、万が一その穴から雨水が下方へ流れたとしても、その屋根瓦９０の下に配設される他の屋根瓦９０の尻部９３によって雨水を良好に受け止めることができ、雨漏りの発生を良好に抑制することができる。また、この場合、屋根瓦９０に穿設された上記穴にシリコーン等を注入することで、上記アンカーボルトとの気密性が高まり、冬場の湿気による瓦割れを抑制することができる。
【００１８】
また、上記アンカーボルトとしては、例えばステンレス製の「Ｐレス（プラグレス）アンカー」（商品名：サンコーテクノ製）のように、ねじ込み部に低いねじ山と高いねじ山とが交互に配設されたものを使用するのが望ましい。この場合、アンカーボルトと屋根瓦との螺合が一層強固になり、雪止め具１を一層強固に固定することができる。
【００１９】
また、本考案は上記実施の形態に何ら限定されるものではなく、本考案の要旨を逸脱しない範囲で種々の形態で実施することができる。例えば、雪止め具１の雪止め部２等の形状は種々に変更してもよく、ポリカーボネート以外の素材を用いて製造してもよい。
【００２０】
また、雪止め具１では、各ネジ穴３ｂを接触面３ａに垂直に穿設したが、図３に示す雪止め具１１のように、一対のネジ穴３ｂを雪止め具１１の取り付け方向に平行に穿設してもよい。この場合、雪止め具１１の成形用の型の構成が単純になり、製造コストを低減することができる。但し、雪止め具１のように接触面３ａに垂直にネジ穴３ｂを穿設した方が、アンカーボルトの螺合作業は容易になる。更に、雪止め具１，１１は、長ビス等によって屋根瓦９０に固定してもよい。また更に、図４に示すように、雪止め具１１の雪止め部２を厚肉に構成することにより、多雪地帯仕様とすることができる。
【図面の簡単な説明】
【００２１】
【図１】本考案が適用された雪止め具の構成を表す正面図である。
【図２】その雪止め具の屋根瓦への固定状態を表す説明図である。
【図３】その雪止め具の変形例の構成を表す正面図である。
【図４】その雪止め具の他の変形例の構成を表す正面図である。
【符号の説明】
【００２２】
１，１１…雪止め具          ２…雪止め部          ３…支持部
３ａ…接触面                ３ｂ…ネジ穴          ９０…屋根瓦
９１…谷部                  ９３…尻部            ９４…棧部
【図１】
0003126308.tif 000003
【図２】
0003126308.tif 000004
【図３】
0003126308.tif 000005
【図４】
0003126308.tif 000006